(57)【要約】【課題】エレベータの火災時管制運転において、帰着階として設定されている階で火災が発生した場合にも、乗客を安全に避難させるための制御を行うことが可能なエレベータ制御装置およびエレベータ制御方法を提供する。【解決手段】実施形態によればエレベータ制御装置は、報知情報取得部と運転制御部とを備える。報知情報取得部は、接続された火災監視装置から出力された火災報知情報を取得する。運転制御部は、予め設定された、当該建物における火災発生時の乗りかごの帰着階の情報を保持し、火災報知情報が取得されると、取得された火災報知情報に含まれる火災発生階情報と保持した帰着階の情報とを比較する。比較の結果、該当する火災発生階床と帰着階とが異なるときには乗りかごを当該帰着階に帰着させ、火災発生階床と帰着階とが同じときには乗りかごを当該帰着階の１階床上の階に着床させる。【選択図】図２
2017024849.tif 000002
【特許請求の範囲】
【請求項１】
建物内で火災が発生したときに、当該火災の発生階床情報を含む火災報知情報を出力する火災監視装置に接続され、前記建物内に設置されたエレベータの運転を制御するエレベータ制御装置において、
前記火災監視装置から出力された火災報知情報を取得する報知情報取得部と、
予め設定された、当該建物における火災発生時の乗りかごの帰着階の情報を保持し、前記報知情報取得部で火災報知情報が取得されると、取得された火災報知情報に含まれる火災発生階情報と、保持した帰着階の情報とを比較し、該当する火災発生階床と帰着階とが異なるときには、前記乗りかごを当該帰着階に帰着させ、前記火災発生階床と前記帰着階とが同じときには、前記乗りかごを当該帰着階の１階床上の階に着床させる運転制御部と
を備えることを特徴とするエレベータ制御装置。
【請求項２】
前記運転制御部は、前記火災報知情報が取得された際に前記乗りかごを着床させる階を、前記乗りかご内に設置されたスピーカまたは表示装置から出力させる
ことを特徴とする請求項１に記載のエレベータ制御装置。
【請求項３】
前記火災監視装置は、前記建物内の各階床内の複数個所のうち、火災発生箇所についての火災報知情報を出力し、
前記運転制御部は、取得された火災発生情報が、階床内で前記エレベータから最も近い箇所に関するものであり、且つ、前記火災発生階床と前記帰着階とが同じときには、前記乗りかごを当該帰着階の１階床上の階に着床させる
ことを特徴とする請求項１または２に記載のエレベータ制御装置。
【請求項４】
建物内で火災が発生したときに、当該火災の発生階床情報を含む火災報知情報を出力する火災監視装置に接続され、前記建物内に設置されたエレベータの運転を制御するエレベータ制御装置が、
予め設定された、当該建物における火災発生時の乗りかごの帰着階の情報を保持するステップと、
前記火災監視装置から出力された火災報知情報を取得するステップと、
前記火災報知情報が取得されると、取得された火災報知情報に含まれる火災発生階情報と、保持した帰着階の情報とを比較し、該当する火災発生階床と帰着階とが異なるときには、前記乗りかごを当該帰着階に帰着させ、前記火災発生階床と前記帰着階とが同じときには、前記乗りかごを当該帰着階の１階床上の階に着床させるステップと
を有することを特徴とするエレベータ制御方法。
【発明の詳細な説明】
【技術分野】
【０００１】
本発明の実施形態は、エレベータ制御装置およびエレベータ制御方法に関する。
【背景技術】
【０００２】
従来、エレベータが設置された建物内で火災が発生したことが検知されると、エレベータ制御装置により、エレベータが自動的に火災時管制運転に切り替えられる。火災時管制運転では、呼び登録の有無に関わらず、予め設定された帰着階に乗りかごを強制的に着床させる。このように制御することにより、乗りかご内の利用者は迅速に避難行動をとることができる。
【先行技術文献】
【特許文献】
【０００３】
【特許文献１】特開平１０−１８２０２９号公報
【発明の概要】
【発明が解決しようとする課題】
【０００４】
しかし、上述したような火災時管制運転においては、設定された帰着階で火災が発生していた場合であっても当該帰着階に乗りかごが着床されるため、安全に避難誘導ができない場合があるという問題があった。
【０００５】
本発明は上記事情に鑑みてなされたものであり、エレベータの火災時管制運転において、帰着階として設定されている階で火災が発生した場合にも、乗客を安全に避難させるための制御を行うことが可能なエレベータ制御装置およびエレベータ制御方法の提供を目的とする。
【課題を解決するための手段】
【０００６】
上記目的を達成するための実施形態によればエレベータ制御装置は、報知情報取得部と運転制御部とを備える。報知情報取得部は、接続された火災監視装置から出力された火災報知情報を取得する。運転制御部は、予め設定された、当該建物における火災発生時の乗りかごの帰着階の情報を保持し、火災報知情報が取得されると、取得された火災報知情報に含まれる火災発生階情報と保持した帰着階の情報とを比較する。比較の結果、該当する火災発生階床と帰着階とが異なるときには乗りかごを当該帰着階に帰着させ、火災発生階床と帰着階とが同じときには乗りかごを当該帰着階の１階床上の階に着床させる。
【図面の簡単な説明】
【０００７】
【図１】一実施形態によるエレベータ制御装置を利用したエレベータシステムの構成を示す全体図。
【図２】一実施形態によるエレベータ制御装置を利用したエレベータシステムの構成を示すブロック図。
【図３】一実施形態によるエレベータ制御装置の動作を示すフローチャート。
【発明を実施するための形態】
【０００８】
〈一実施形態によるエレベータシステムの構成〉
本発明の一実施形態によるエレベータ制御装置を利用したエレベータシステムの構成について、図１を参照して説明する。
【０００９】
本実施形態によるエレベータシステム１は、４階建ての建物内の昇降路２上部の機械室３に設置された巻き上げ機４と、巻き上げ機４に掛け渡されたメインロープ５の両端部にそれぞれ吊り下げられた乗りかご６および釣り合いおもり７と、巻き上げ機４に信号線で接続されるとともに乗りかご６にテールコード８で接続されたエレベータ制御盤９と、当該建物の１階〜４階の各階床の天井にそれぞれ設置された火災検知器１０−１〜１０−４と、当該建物内の監視室１１に設置され、火災検知器１０−１〜１０−４に信号線１２で接続されるとともにエレベータ制御盤９に信号線１３で接続された火災監視装置１４とを備える。火災検知器１０−１〜１０−４は、設置された階床における火災発生を検知すると、火災検知信号を生成して火災監視装置１４に送信する。
【００１０】
火災監視装置１４およびエレベータ制御盤９の詳細な構成について、図２を参照して説明する。火災監視装置１４は、検知信号取得部１４１と、報知情報生成部１４２と、報知情報出力部１４３とを有する。検知信号取得部１４１は、火災検知器１０−１〜１０−４から送信された火災検知信号を取得する。報知情報生成部１４２は、取得した火災検知信号に基づいて、当該火災の発生階情報を含む火災報知情報を生成する。報知情報出力部１４３は、生成された火災報知情報を出力する。
【００１１】
エレベータ制御盤９は、動作状況取得部９１と、呼び登録部９２と、運転制御部９３と、報知情報取得部９４と、管制運転制御部９５とを有する。動作状況取得部９１は、エレベータ内の機器の動作状況に関する情報、例えば巻上げ機４の運転状況や、乗りかご６の位置情報、戸開閉情報等を含む動作状況情報を取得する。呼び登録部９２は、各階床のエレベータホールに設置された乗場ボタン（図示せず）や乗りかご６内のかご内ボタン（図示せず）の操作状況に基づいて、乗りかご６のホール呼び情報およびかご呼び情報を登録する。運転制御部９３は、通常時は、動作状況取得部９１で取得された運転状況情報と呼び登録部９２に登録されたホール呼び情報およびかご呼び情報とに基づいて、巻上げ機４や乗りかご６等のエレベータ機器の動作を制御して通常運転を行う。また運転制御部９３は、建物内で火災が発生したときには、後述する管制運転制御部９５からの指示に基づいて、所定の火災時管制運転によりエレベータ機器の動作を制御する。報知情報取得部９４は、火災監視装置１４から出力された火災報知情報を取得する。管制運転制御部９５は、報知情報取得部９４で火災報知情報が取得されると、所定の火災時管制運転を実行させるための処理を行う。
【００１２】
〈一実施形態によるエレベータシステムの構成〉
次に、本実施形態によるエレベータシステム１の動作について説明する。本実施形態においては、当該建物における火災発生時の乗りかご６の帰着階として、建物への入り口がある「１階」が予め設定されているものとする。そして通常時は、エレベータ制御盤９の運転制御部９３において、動作状況取得部９１で取得された運転状況情報と呼び登録部９２に登録された呼び情報とに基づいて、巻上げ機４および乗りかご６等のエレベータ機器の動作が制御されることで、通常運転が実行されている。
【００１３】
通常運転中に建物内のいずれかの階床、例えば１階で火災が発生すると火災検知器１０−１で火災が検知され、火災検知信号が火災監視装置１４に送信される。火災監視装置１４では、火災検知器１０−１から送信された火災検知信号が検知信号取得部１４１で取得され、報知情報生成部１４２において火災発生階「１階」を含む火災報知信号が生成される。生成された火災報知信号は、報知情報出力部１４３から出力される。
【００１４】
火災監視装置１４から火災報知信号が出力されたときにエレベータ制御盤９で実行される処理について、図３のフローチャートを参照して説明する。火災監視装置１４から出力された火災報知信号は、エレベータ制御盤９の報知情報取得部９４で取得され（Ｓ１の「YES」）、これにより管制運転制御部９５により火災時管制運転が開始される。火災時管制運転ではまず、運転制御部９３により現在乗りかごが走行中であるか否かが確認される（Ｓ２）。ここで乗りかご６が走行中であれば（Ｓ２の「YES」）、呼び登録部９２に登録されているホール呼び情報およびかご呼び情報をすべてキャンセルして、以降のホール呼びおよびかご呼びの登録を不可とするように設定され（Ｓ３）、乗りかご６を最寄階に着床させるよう運転制御部９３に指示が送出される（Ｓ４）。ここで乗りかご６を最寄階に着床させるのはエレベータ機器の破損等を防ぐためであるため、着床しても戸開しない。また、火災報知情報が取得されたときに乗りかごが６が停止中であれば（Ｓ２の「NO」）、以降の呼び登録部９２へのホール呼びおよびかご呼びの登録を不可とする設定のみが行われる（Ｓ５）。
【００１５】
そして、取得された火災報知情報の火災発生階情報により特定される火災発生階床と、予め設定された火災発生時の帰着階とが比較され（Ｓ６）、火災発生階床と火災発生時の帰着階とが異なるとき、つまり火災は帰着階で発生していないとき（Ｓ６の「NO」）には当該帰着階に乗りかご６を着床させる（Ｓ７）。また、火災発生階床と火災発生時の帰着階とが同じであるとき、つまり火災が帰着階で発生しているとき（Ｓ６の「YES」）には、当該帰着階の１階床上の階に着床するように制御される（Ｓ８）。ここでは、火災発生階床「１階」と、予め設定された帰着階「１階」とが同じであるため、設定された帰着階「１階」の１階床上の「２階」に着床するように制御される。ここで、火災時管制運転により帰着する階床を、乗りかご６内の利用者に報知するためのアナウンスを、乗りかご６内に設置されたスピーカ（図示せず）または表示装置（図示せず）から出力させるようにしてもよい。
【００１６】
そして、帰着した階床において、乗りかご６のかごドア（図示せず）および乗場ドア（図示せず）が戸開され、乗りかご６内の利用者が避難行動をとることが可能になる。
【００１７】
以上の本実施形態によればエレベータ制御装置は、エレベータの火災時管制運転において、帰着階として設定されている階で火災が発生した場合にも、乗客を安全に避難させるための制御を行うことができる。
【００１８】
上述した実施形態において、各階床に火災検知器を複数個設置しておき、火災が発生したときに、火災監視装置１４が、階床内の複数個所のうちの火災発生箇所に対応する火災検知器についての火災報知情報を出力するようにしてもよい。この場合、エレベータ制御盤９の運転制御部９３は、取得された火災発生情報が、階床内でエレベータから最も近い箇所の火災検知器に関するものであり、且つ、該当する火災発生階床と予め保持した帰着階とが同じときにのみ、乗りかご６を当該帰着階の１階床上の階に着床させるようにする。このように制御することにより、火災が発生した場所がエレベータから遠い場合には、火災発生階であってもエレベータを帰着可能とすることができ、利用者の安全を確保しつつなるべく避難しやすい状態にすることができる。
【００１９】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２０】
１…エレベータシステム、２…昇降路、３…機械室、４…巻上げ機、５…メインロープ、６…乗りかご、７…釣り合いおもり、８…テールコード、９…エレベータ制御盤、１０−１〜１０−４…火災検知器、１１…監視室、１２、１３…信号線、１４…火災監視装置、９１…動作状況取得部、９２…呼び登録部、９３…運転制御部、９４…報知情報取得部、９５…管制運転制御部、１４１…検知信号取得部、１４２…報知情報生成部、１４３…報知情報出力部
【図１】
2017024849.tif 000003
【図２】
2017024849.tif 000004
【図３】
2017024849.tif 000005
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
建物内の各階床内に複数個設置された火災検知器に接続され、前記建物内に設置されたエレベータの運転を制御するエレベータ制御装置において、
予め設定された、当該建物における火災発生時の乗りかごの帰着階の情報を保持し、前記帰着階内でエレベータから最も近い箇所の火災検知器から火災発生情報が出力されたときには、前記乗りかごを前記帰着階の１階床上の階に着床させる運転制御部
を備えることを特徴とするエレベータ制御装置。
【請求項２】
前記運転制御部は、前記火災報知情報が取得された際に前記乗りかごを着床させる階を、前記乗りかご内に設置されたスピーカまたは表示装置から出力させる
ことを特徴とする請求項１に記載のエレベータ制御装置。
【請求項３】
建物内の各階床内に複数個設置された火災検知器に接続され、前記建物内に設置されたエレベータの運転を制御するエレベータ制御装置が、
予め設定された、当該建物における火災発生時の乗りかごの帰着階の情報を保持し、前記帰着階内でエレベータから最も近い箇所の火災検知器から火災発生情報が出力されたときには、前記乗りかごを前記帰着階の１階床上の階に着床させる
を備えることを特徴とするエレベータ制御方法。
【手続補正２】
【補正対象書類名】明細書
【補正対象項目名】０００６
【補正方法】変更
【補正の内容】
【０００６】
上記目的を達成するための実施形態によればエレベータ制御装置は、建物内の各階床内に複数個設置された火災検知器に接続され、運転制御部を備える。運転制御部は、予め設定された、当該建物における火災発生時の乗りかごの帰着階の情報を保持し、前記帰着階内でエレベータから最も近い箇所の火災検知器から火災発生情報が出力されたときには、前記乗りかごを前記帰着階の１階床上の階に着床させる。